【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  インクジェット記録装置内の温度を検出する検出工程と、
前記検出された温度に基づいて、記録ヘッドの走査時加速期間および減速期間のうち少なくとも一方で、前記記録ヘッドのインクを予熱する予熱工程とを有することを特徴とするインクジェット記録装置のインク吐出方法。
【請求項２】  記録データとコマンドを受信する受信工程と、
前記記録データとコマンドの受信に対する応答としてインクジェット記録装置に記録媒体を送る給紙工程と、
前記インクジェット記録装置内の温度を検出し、前記温度が所定の閾値温度よりも低いかどうかを判定する検出判定工程と、
前記検出された温度が前記所定の閾値温度よりも低い場合には、前記給紙工程の間に、前記インクジェット記録装置の記録ヘッドのインクを予熱する第１予熱工程と、
前記記録ヘッドを搭載するプリンタキャリッジを非記録領域から記録領域に移動させる移動工程と、
前記検出判定工程を繰り返す繰返工程と、
前記検出された温度が前記所定の閾値温度よりも低い場合には、前記非記録領域を前記プリンタキャリッジが移動する間に、前記記録ヘッドのインクを予熱する第２予熱工程と、
前記受信したコマンドに基づいて、前記受信した記録データを記録する記録工程とを有することを特徴とするインクジェット記録装置のインク予熱方法。
【請求項３】  インクジェット記録装置内の温度を検出する検出手段と、
前記検出された温度に基づいて、記録ヘッドの加速期間および減速期間のうち少なくとも一方で前記インクジェット記録装置内の記録ヘッドのインクを予熱する予熱手段とを含むインクジェット記録装置。
【請求項４】  前記検出された温度が所定の閾値温度よりも低いかどうかを判定する判定手段をさらに有し、
前記検出された温度が前記所定の閾値温度よりも低いと判定された場合には前記記録ヘッドに供給されるインクを予熱し、前記検出された温度が前記所定の閾値温度以上であると判定された場合には、前記記録ヘッドのインクを予熱しないことを特徴とする請求項３に記載のインクジェット記録装置。
【請求項５】  前記記録ヘッドで記録される記録データを受信する受信手段と、
前記記録データの受信に応じて、前記インクジェット記録装置に記録媒体を供給する給紙手段と、
前記記録データによる記録動作中に、前記記録ヘッドを搭載するキャリッジを前記インクジェット記録装置における非記録領域から記録領域に移動させる移動手段とをさらに有することを特徴とする請求項３に記載のインクジェット記録装置。
【請求項６】  記録データを受信して、前記記録媒体を前記インクジェット装置に供給した後、前記検出手段によって前記インクジェット記録装置内の温度を検出し、前記判定手段によって検出された温度が前記所定の閾値温度よりも高いかどうかを判定することを特徴とする請求項５に記載のインクジェット記録装置。
【請求項７】  前記検出された温度が前記所定の閾値温度よりも低いと判定された場合に、前記移動手段が前記キャリッジを前記非記録領域から前記記録領域へ移動させると同時に予熱器がインクを予熱することを特徴とする請求項６に記載のインクジェット記録装置。
【請求項８】  前記キャリッジが前記記録領域に入ったときに、前記予熱器は前記記録ヘッドのインクの予熱を停止することを特徴とする請求項７に記載のインクジェット記録装置。
【請求項９】  前記記録媒体の供給中に、前記予熱手段が予熱することを特徴とする請求項５に記載のインクジェット記録装置。
【請求項１０】  前記給紙手段による記録媒体の供給中、および前記移動手段によって前記キャリッジを移動するときに、前記キャリッジが前記非記録領域にある間に、前記予熱手段は予熱することを特徴とする請求項５に記載のインクジェット記録装置。
【請求項１１】  前記移動手段が前記記録領域での記録のため前記非記録領域で前記キャリッジを所定の速度まで加速し、前記記録領域からもう１つの非記録領域に出た後所定の速度まで前記キャリッジを減速することを特徴とする請求項１０に記載のインクジェット記録装置。
【請求項１２】  前記非記録領域における前記キャリッジの加速減速中、および前記給紙手段が前記インクジェット記録装置に記録媒体を供給するときに、前記予熱手段が予熱することを特徴とする請求項１１に記載のインクジェット記録装置。
【請求項１３】  前記所定の閾値温度は５０℃であることを特徴とする請求項３に記載のインクジェット記録装置。
【請求項１４】  前記予熱手段による予熱は、前記記録ヘッドからインクを吐出するために使用される加熱素子とは独立している予熱素子により実行することを特徴とする請求項３に記載のインクジェット記録装置。
【請求項１５】  記録データとコマンドを受信する受信手段と、
前記データとコマンドの受信に対する応答としてインクジェット記録装置に記録媒体を供給する給紙手段と、
前記インクジェット記録装置内の温度を検出し、前記温度が所定の閾値温度よりも高いかどうかを判定する検出判定手段と、
前記検出された温度が前記所定の閾値温度よりも低い場合に前記給紙手段による給紙中に、前記インクジェット記録装置の記録ヘッドのインクを予熱する予熱手段と、
前記記録ヘッドを搭載するキャリッジを非記録領域から記録領域に移動させる移動手段とを有し、
前記非記録領域から前記記録領域へ前記キャリッジを移動中に、前記検出判定手段が温度を再度検出し、前記再度検出された温度が前記所定の閾値温度よりも低いかどうかを判定し、前記再度検出された温度が前記所定の閾値温度よりも低い場合には前記非記録領域で前記キャリッジを移動するときに前記記録ヘッドのインクを前記予熱手段が予熱することを特徴とするインクジェット記録装置。
【請求項１６】  前記受信されたコマンドに基づいて、前記受信した記録データを記録する前記記録ヘッドを制御する制御手段をさらに有することを特徴とする請求項１５に記載のインクジェット記録装置。
【請求項１７】  前記移動手段は前記キャリッジの速度を制御して、前記記録領域における記録前に前記非記録領域において所定の速度に加速するようにし、前記キャリッジが前記記録領域からもう１つの非記録領域に出た後、所定の速度まで減速するようにすることを特徴とする請求項１５に記載のインクジェット記録装置。
【請求項１８】  前記非記録領域における前記キャリッジの加速減速中、および前記給紙手段による給紙中に、前記予熱手段が予熱することを特徴とする請求項１５に記載のインクジェット記録装置。
【請求項１９】  インクジェット記録装置内の温度を検出する検出工程と、
前記検出された温度が所定の閾値温度よりも低いかどうかを判定する判定工程と、
非記録期間中に前記インクジェット記録装置内の記録ヘッドのインクを予熱する予熱工程とを有し、
前記検出された温度が前記所定の閾値温度よりも低いと判定された場合には前記記録ヘッドのインクを予熱し、前記検出された温度が前記所定の閾値温度以上であると判定された場合には前記記録ヘッドのインクを予熱しないことを特徴とするインクジェット記録装置のインク吐出方法。
【請求項２０】  インクジェット記録装置内の温度を検出する検出手段と、
前記検出された温度が所定の閾値温度よりも低いかどうかを判定する判定手段と、
前記非記録期間中に前記インクジェット記録装置内の記録ヘッドのインクを予熱する予熱手段とを有し、
前記検出された温度が前記所定の閾値温度よりも低いと判定された場合には前記記録ヘッドのインクを予熱し、前記検出された温度が前記所定の閾値温度以上と判定された場合には前記記録ヘッドのインクを予熱しないことを特徴とするインクジェット記録装置。